(57)【要約】【課題】被締結体からの締結体の取り外しを確実に行うことができる手段の提供を課題とする。【解決手段】雌ねじ孔６に螺着させた状態での係り代の高さ寸法ｈ１が、雄ねじ部５ａの山５ａ１と谷５ａ２の間に形成される高さ寸法ｈ２の半分以下である構成を採用した。【選択図】      図３
2004218682.tif 000002
【特許請求の範囲】
【請求項１】
少なくとも雄ねじ部が形状記憶材料からなり、被締結体の雌ねじ部に螺着される締結体において、
前記雌ねじ部に螺着させた状態での係り代が、前記雄ねじ部の山と谷の間に形成される高さ寸法の半分以下であることを特徴とする締結体。
【請求項２】
請求項１に記載の締結体において、
前記被締結体に螺着させたときに該被締結体に当接するねじ頭の接触面に、凹凸が形成されていることを特徴とする締結体。
【請求項３】
請求項１または請求項２に記載の締結体において、
前記形状記憶材料として、形状記憶樹脂が用いられていることを特徴とする締結体。
【請求項４】
請求項１から請求項３の何れかに記載の締結体が備えられていることを特徴とする遠隔操作リモコン。
【請求項５】
請求項１から請求項３の何れかに記載の締結体が備えられていることを特徴とする電子装置。
【請求項６】
形状記憶材料からなる雌ねじ部と、この雌ねじ部に螺着される締結体とを有する電子装置において、
前記締結体の雄ねじ部は、前記雌ねじ部に螺着させた状態での係り代が、該雄ねじ部の山と谷の間に形成される高さ寸法の半分以下であることを特徴とする電子装置。
【請求項７】
請求項６に記載の電子装置において、
前記締結体も、少なくとも前記雄ねじ部が形状記憶材料からなることを特徴とする電子装置。
【請求項８】
請求項６または請求項７に記載の電子装置において、
前記雌ねじ部に螺着させたときに該雌ねじ部の周囲の当接面に接するねじ頭の接触面に、凹凸が形成されていることを特徴とする電子装置。
【請求項９】
請求項６から請求項８の何れかに記載の電子装置において、
前記形状記憶材料として、形状記憶樹脂が用いられていることを特徴とする電子装置。
【発明の詳細な説明】
【０００１】
【発明の属する技術分野】
本発明は、締結体及び遠隔操作リモコン及び電子装置に関する。
【０００２】
【従来の技術】
電子装置、家電製品をはじめとする電化製品、機械製品等は、多くの部品から構成されており、ねじやリベットを始めとする多くの締結部品で組み立てられている。この種の締結部品としては、従来より、金属製のねじやナットが一般的に用いられており、人手や機械を用いて締結されている。
【０００３】
ところで、最近の家電製品においては、環境保護の観点から、用済み後の廃棄処理をいかに行うかが問題となっている。そこで、これらの製品については、資源の有効利用を目的に再利用が行われるようになってきている。
大量生産された電化製品の部品をリサイクルして資源を有効利用するとともに、資源の浪費を抑制したり、有害な物質を取り出して安全に処理することで地球環境を保全することを目的として、廃棄された電化製品を分解してその素材毎に分別回収することがなされている。しかしながら、これら電化製品は、通常の使用状態では容易に分解できないように組み立てられているとともに部品点数が多いのが一般的であるため、その中からねじなどを探し出して分離、回収するには多くの人手と時間、すなわち分解コストを必要とする問題があった。
【０００４】
そこで、特願２００１−３４２３０５等に示されるように、締結体の材質として合金やポリマーなどの形状記憶材料を採用し、ある温度を境に形状を変化させてその締結力を解除可能にする技術など、様々な技術が開発されつつある（例えば、特許文献１参照）。
【０００５】
【特許文献１】
特開２００２−５１２４号公報
【０００６】
【発明が解決しようとする課題】
しかし、このような、締結力に温度依存性を持たせた締結体に関しては、基本的な提案こそなされているものの、その実用化にあたっては、さらなる検討が必要とされている。
すなわち、例えば図７（ａ），（ｂ）に示すように、形状記憶材料からなる従来の締結体（以下、ねじ１１と称する。）と、これが螺着される被締結体（以下、筐体１２と称する。）では、その形状がＪＩＳ規格に沿った形状を採用しているため、温度変化を与えてその締結力を解除させた際に、思うようにねじ１１が外れない場合がある。これは、ねじ１１の雄ねじ１１ａのねじピッチ形状と、筐体１２の雌ねじ１２ａのねじピッチ形状を、単純にＪＩＳ規格に合わせたためであり、このような深い山谷形状のねじ高さ寸法では、図７（ｂ）に示すように、雄ねじ１１ａの山が扁平になりきれず、雌ねじ１２ａの山１２ａ１に引っかかって外れない恐れがある。
【０００７】
本発明は、上記事情に鑑みてなされたものであり、被締結体からの締結体の取り外しを確実に行うことができる手段の提供を目的とする。
【０００８】
【課題を解決するための手段】
本発明は、上記課題を解決するために以下の手段を採用した。
すなわち、請求項１に記載の締結体は、少なくとも雄ねじ部が形状記憶材料からなり、被締結体の雌ねじ部に螺着される締結体において、前記雌ねじ部に螺着させた状態での係り代が、前記雄ねじ部の山と谷の間に形成される高さ寸法の半分以下であることを特徴とする。
上記請求項１に記載の締結体によれば、雌ねじ部に螺着した状態において所定の温度変化を与えることで、雄ねじ部のねじ山の高さが低くなり、山と谷の間に形成される高さ寸法が小さくなる。このとき、螺着状態での変形前の雄ねじ部の形状が、従来構造のＪＩＳ規格に沿った雄ねじ形状に比較して、ねじ山が浅くなっているので、より、高さ寸法を小さくすることができる。
【０００９】
請求項２に記載の締結体は、請求項１に記載の締結体において、前記被締結体に螺着させたときに該被締結体に当接するねじ頭の接触面に、凹凸が形成されていることを特徴とする。
上記請求項２に記載の締結体によれば、被締結体に螺着させた状態では、その凹凸が被締結体に当接するため、ねじ頭の接触面を平面形状にする場合に比較して、これらの間の摩擦抵抗を大きくすることができる。
【００１０】
請求項３に記載の締結体は、請求項１または請求項２に記載の締結体において、前記形状記憶材料として、形状記憶樹脂が用いられていることを特徴とする。上記請求項３に記載の締結体によれば、素材として合金を用いる場合に比較して、ポリウレタン系形状記憶ポリマーなどの形状記憶樹脂を用いた方が、形状回復特性に優れ、なおかつ、低コスト化することができる。
【００１１】
請求項４に記載の遠隔操作リモコンは、請求項１から請求項３の何れかに記載の締結体が備えられていることを特徴とする。
上記請求項４に記載の遠隔操作リモコンによれば、雌ねじ部からの締結体の取り外しを確実に行うことができる。
【００１２】
請求項５に記載の電子装置は、請求項１から請求項３の何れかに記載の締結体が備えられていることを特徴とする。
上記請求項５に記載の電子装置によれば、雌ねじ部からの締結体の取り外しを確実に行うことができる。
【００１３】
請求項６に記載の電子装置は、形状記憶材料からなる雌ねじ部と、この雌ねじ部に螺着される締結体とを有する電子装置において、前記締結体の雄ねじ部が、前記雌ねじ部に螺着させた状態での係り代が、該雄ねじ部の山と谷の間に形成される高さ寸法の半分以下であることを特徴とする。
上記請求項６に記載の電子装置によれば、雌ねじ部に螺着した状態において所定の温度変化を与えることで、雄ねじ部のねじ山の高さが低くなり、山と谷の間に形成される高さ寸法が小さくなる。このとき、螺着状態での変形前の雄ねじ部の形状が、従来構造のＪＩＳ規格に沿った雄ねじ形状に比較して、雄ねじ部のねじ山が浅くなっているので、より、高さ寸法を小さくすることができる。
【００１４】
請求項７に記載の電子装置は、請求項６に記載の電子装置において、前記締結体も、少なくとも前記雄ねじ部が形状記憶材料からなることを特徴とする。
上記請求項７に記載の電子装置によれば、電子装置に所定温度を与えると、雌ねじ部と雄ねじ部の双方が、それらのねじ山が低くなるように変形させることができる。
【００１５】
請求項８に記載の電子装置は、請求項６または請求項７に記載の電子装置において、前記雌ねじ部に螺着させたときに該雌ねじ部の周囲の当接面に接するねじ頭の接触面に、凹凸が形成されていることを特徴とする。
上記請求項８に記載の電子装置によれば、雌ねじ部に螺着させた状態では、その凹凸が当接面に接するため、ねじ頭の接触面を平面形状にする場合に比較して、これらの間の摩擦抵抗を大きくすることができる。
【００１６】
請求項９に記載の電子装置は、請求項６から請求項８の何れかに記載の電子装置において、前記形状記憶材料として、形状記憶樹脂が用いられていることを特徴とする。
上記請求項９に記載の電子装置によれば、素材として合金を用いる場合に比較して、ポリウレタン系形状記憶ポリマーなどの形状記憶樹脂を用いた方が、形状回復特性に優れ、なおかつ、低コスト化することができる。
【００１７】
【発明の実施の形態】
以下、本発明の締結体及び電子装置及び遠隔操作リモコンの一実施形態を、図面を参照しながら以下に説明するが、本発明がこれに限定解釈されるものでないことは勿論である。なお、本実施形態では、電子装置が遠隔操作リモコンである場合を例として説明する。
【００１８】
図１に示すように、本実施形態の遠隔操作リモコン１（電子装置）は、プラスチック製のケース２ａ，２ｂからなる筐体２（被締結体）と、ケース２ａに対して固定される電子基板３及び液晶基板４と、各部品間の固定を行う複数本のねじ５（締結体）とを備えて構成されている。本実施形態の遠隔操作リモコン１は、ねじ５が特に特徴的となっているので、以下、この特徴点を中心に説明を行う。
【００１９】
図２に示すように、本実施形態のねじ５は、前記筐体２に一体に形成された雌ねじ孔６（雌ねじ部）に螺着するねじ山が形成された雄ねじ部５ａと、該雄ねじ部５ａに一体に形成されたねじ頭５ｂとを備えており、その素材として、例えばポリウレタン系形状記憶ポリマーなどの、形状記憶樹脂（形状記憶材料）が採用されている。
そして、このねじ５は、図３に示すように、雌ねじ孔６に螺着させた通常状態での係り代（ねじ５のねじ山と、雌ねじ孔６のねじ山との間の接触部分）の高さ寸法ｈ１が、雄ねじ部５ａの山５ａ１と谷５ａ２の間に形成される高さ寸法ｈ２の半分以下となっている（すなわち、ｈ１≦ｈ２÷２。）。なお、雌ねじ孔６側は、従来通り、ＪＩＳ規格に沿った雌ねじ形状を採用している。
【００２０】
このねじ５を有する遠隔操作リモコン１によれば、各ねじ５が雌ねじ孔６に螺着した状態で、電気ヒータ、赤外線、マイクロ波、熱風炉などの加熱源を備えた加熱ブース（図示せず）内に、ベルトコンベアで送り込み、所定の温度変化を与える（例えば、室温状態から、８０℃以上１２０℃以下に加熱する）ことで、図２（ｂ）に示すように、雄ねじ部５ａのねじ山の高さが低くなり、山５ａ１と谷５ａ２の間に形成される前記高さ寸法ｈ２が小さくなる。すなわち、同図に示すように、前記係り代の高さ寸法ｈ１が０となるように細く変形する。
このとき、図２（ａ）で示したように、螺着状態での変形前の雄ねじ部５ａの形状が、従来構造のＪＩＳ規格に沿った雄ねじ形状に比較して、雄ねじ部５ａのねじ山が浅くなっているので、より、変形後の高さ寸法ｈ２を小さくすることができる。すなわち、雄ねじ部５ａをより細く変形させることができる。
【００２１】
さらに、このねじ５は、図２（ａ）及び図４に示すように、筐体２の雌ねじ孔６に螺着させたときに、この筐体２に当接するねじ頭５ｂの接触面に、放射状に形成された凹凸である菊座５ｂ１が形成されている。この菊座５ｂ１によれば、雌ねじ孔６に対してねじ５を螺着させた状態で、その凸部が筐体２の当接面に食いつくため、ねじ頭５ｂの接触面を平面形状にする場合に比較して、これらの間の摩擦抵抗を大きくすることができる。
【００２２】
以上説明の構成を有する本実施形態のねじ５によれば、従来構造のＪＩＳ規格に沿った雄ねじ形状よりも、変形後のねじ山の高さ寸法ｈ２を低くすることができるので、雌ねじ孔６への係りを確実に外すことができる。したがって、雌ねじ孔６からのねじ５の取り外しを確実に行うことが可能となる。
また、本実施形態のねじ５によれば、そのねじ頭５ｂの接触面に菊座５ｂ１を形成したことにより、雌ねじ孔６に螺着させた状態での摩擦抵抗を大きくすることができるので、締結状態での緩みを防ぐことが可能となる。
【００２３】
また、このねじ５を備えた遠隔操作リモコン１によれば、雌ねじ孔６からのねじ５の取り外しを確実に行うことができるので、容易に分解・リサイクルできる遠隔操作リモコンとすることが可能となる。
また、本実施形態のねじ５によれば、形状記憶材料として形状記憶樹脂を用いたことにより、優れた形状回復特性を得ることができるので、所定温度を与えて外す際のねじ５を、雌ねじ孔６ａから確実に取り外すことが可能となる。
【００２４】
なお、上記実施形態では、雌ねじ孔６が、ＪＩＳ規格に沿った山谷形状を有する場合を例に説明したが、これに限らず、例えば図５（ａ），（ｂ）に示すように、前記係り代の高さ寸法ｈ１を確保した上で、平坦な谷部を有する雌ねじ孔６Ａを採用しても良い。この場合においても、上記実施形態と同様の作用効果を得ることができ、図５（ａ）の締結状態で所定温度に加熱することで、図５（ｂ）の締結解除状態にすることが可能となる。
【００２５】
また、上記実施形態では、ねじ５側のみに形状記憶樹脂を用いる場合を例に説明したが、これに限らず、雌ねじ孔６を有する筐体２側に形状記憶樹脂を用いるものとしても良い。この場合、筐体２の全体に形状記憶樹脂を用いるのではなく、雌ねじ孔６を有するスリーブ（図示せず）に形状記憶樹脂を用いて、筐体２に、この別部品であるスリーブを嵌め込んで雌ねじ孔６を形成することで、コストダウンが可能となる。
さらには、ねじ５及び筐体２の双方に形状記憶樹脂を採用するものとしても良い。この場合には、ねじ５の取外しをより確実にすることが可能となる。
【００２６】
また、上記実施形態のねじ５は、遠隔操作リモコン１に限らず、その他の電子機器に適用しても良いことは勿論である。
【００２７】
【発明の効果】
本発明の請求項１に記載の締結体によれば、従来構造のＪＩＳ規格に沿った雄ねじ形状よりも、変形後のねじ山の高さを低くすることができるので、雌ねじ部への係りを確実に外すことができる。したがって、雌ねじ部からの締結体の取り外しを確実に行うことが可能となる。
【００２８】
また、請求項２に記載の締結体によれば、そのねじ頭の接触面に凹凸を形成したことにより、雌ねじ部に螺着させた状態での摩擦抵抗を大きくすることができるので、締結状態での緩みを防ぐことが可能となる。
【００２９】
また、請求項３に記載の締結体によれば、形状記憶材料として形状記憶樹脂を用いたことにより、優れた形状回復特性を得ることができるので、所定温度を与えて外す際の締結体を、雌ねじ部から確実に取り外すことが可能となる。
【００３０】
また、請求項４に記載の遠隔操作リモコンによれば、請求項１から請求項３の何れかに記載の締結体を備えているので、雌ねじ部からの締結体の取り外しを確実に行うことが可能となる。したがって容易に分解・リサイクルできる遠隔操作リモコンとすることが可能となる。
【００３１】
また、請求項５に記載の電子装置によれば、請求項１から請求項３の何れかに記載の締結体を備えているので、雌ねじ部からの締結体の取り外しを確実に行うことが可能となる。したがって容易に分解・リサイクルできる電子装置とすることが可能となる。
【００３２】
また、請求項６に記載の電子装置によれば、従来構造のＪＩＳ規格に沿った雄ねじ形状よりも、変形後のねじ山の高さを低くすることができるので、雌ねじ部への係りを確実に外すことができる。したがって、雌ねじ部からの締結体の取り外しを確実に行うことが可能となる。
【００３３】
また、請求項７に記載の電子装置によれば、締結体にも形状記憶材料を採用することで、締結体を、雌ねじ部からより確実に取り外すことが可能となる。
【００３４】
また、請求項８に記載の電子装置によれば、そのねじ頭の接触面に凹凸を形成したことにより、雌ねじ部に螺着させた状態での摩擦抵抗を大きくすることができるので、締結状態での緩みを防ぐことが可能となる。
【００３５】
また、請求項９に記載の電子装置によれば、形状記憶材料として形状記憶樹脂を用いたことにより、優れた形状回復特性を得ることができるので、所定温度を与えて外す際の締結体を、雌ねじ部から確実に取り外すことが可能となる。
【図面の簡単な説明】
【図１】本発明のねじを備えた遠隔操作リモコンの一例を示す図であって、その裏面側から見た分解斜視図である。
【図２】同ねじの一例を示す図であって、（ａ）が螺着状態、（ｂ）が締結力解除状態を示す拡大図である。
【図３】同ねじの雄ねじ部と雌ねじ部の係り代部分を示す図であって、図２のＡ部拡大図である。
【図４】同ねじにおけるねじ頭の当接面を示す図であって、図２（ａ）のＢ−Ｂ矢視図である。
【図５】同ねじが螺着される雌ねじの変形例を示す図であって、（ａ）が螺着状態、（ｂ）が締結力解除状態を示す拡大図である。
【図６】同ねじの雄ねじ部と雌ねじ部の係り代部分を示す図であって、図５のＣ部拡大図である。
【図７】従来のねじの一例を示す図であって、（ａ）が螺着状態、（ｂ）が締結力解除状態を示す拡大図である。
【符号の説明】
１・・・遠隔操作リモコン、電子装置
２・・・筐体（被締結体）
５・・・ねじ（締結体）
５ａ・・・雄ねじ部
５ｂ１・・・菊座（凹凸）
６，６Ａ・・・雌ねじ孔（雌ねじ部）
【図１】
2004218682.tif 000003
【図２】
2004218682.tif 000004
【図３】
2004218682.tif 000005
【図４】
2004218682.tif 000006
【図５】
2004218682.tif 000007
【図６】
2004218682.tif 000008
【図７】
2004218682.tif 000009